(57)【特許請求の範囲】
【請求項１】
ネットワークに接続された複数の情報処理装置と該情報処理装置のいずれかに接続可能な周辺装置よりなる周辺装置管理システムにおいて、
前記周辺装置は、
接続している前記情報処理装置に、接続したことを通知する機能を有する接続通知管理部を備え、
前記情報処理装置は、
接続通知を前記周辺装置から受信した場合に、ネットワークに接続され且つ他の少なくとも一つの情報処理装置に対して前記接続通知を送信する接続通知中継部と、
前記接続通知を他の情報処理装置から受信した場合に、前記接続通知を記憶し、前記周辺装置の利用要求があった場合には、記憶した接続通知を基に、前記周辺装置をネットワーク経由で利用する周辺装置接続管理部と、
を備えることを特徴とする周辺装置管理システム。
【請求項２】
請求項１記載の周辺装置管理システムにおいて、
前記周辺装置が備える前記接続通知管理部は、
自己に関する周辺装置情報を記憶する周辺装置情報記憶手段と、
前記周辺装置情報記憶手段から前記周辺装置情報を取り出し、接続している前記情報処理装置に送信する情報管理手段と、
を備え、
前記情報処理装置が備える前記接続通知中継部は、
自己に関する処理装置情報を記憶する自己処理装置情報記憶手段と、
前記情報管理手段から前記周辺装置情報を受信した場合、該周辺装置情報と前記自己処理装置情報とを、ネットワークに接続された全ての前記情報処理装置に対して送信する接続通知中継手段と、
を備えることを特徴とする周辺装置管理システム。
【請求項３】
請求項１記載の周辺装置管理システムにおいて、
前記周辺装置が備える前記接続通知管理部は、
自己に関する周辺装置情報を記憶する周辺装置情報記憶手段と、
前記周辺装置情報記憶手段から前記周辺装置情報を取り出し、接続している前記情報処理装置に送信する情報管理手段と、
を備え、
前記情報処理装置が備える前記接続通知中継部は、
自己に関する処理装置情報を記憶する自己処理装置情報記憶手段と、
前記情報処理装置が属するグループに関する自己グループ情報を記憶する自己グループ情報記憶手段と、
前記情報管理手段から前記周辺装置情報を受信した場合、該周辺装置情報と前記自己処理装置情報とを、ネットワークに接続された前記自己グループ情報に属する全ての前記情報処理装置に対して送信する接続通知中継手段と、
を備えることを特徴とする周辺装置管理システム。
【請求項４】
請求項２記載の周辺装置管理システムにおいて、
前記周辺装置が備える前記接続通知管理部は、情報を送信すべき少なくとも一つの情報処理装置に関する送信処理装置情報を記憶する送信処理装置情報記憶手段をさらに備え、
前記接続通知管理部が備える情報管理手段は、前記周辺装置情報記憶手段から前記周辺装置情報を取り出し、前記装置情報記憶手段に記憶している前記全ての送信処理装置情報を取り出し、前記周辺処理情報と前記全ての送信処理装置情報とを送信し、
前記接続通知中継部が備える接続通知中継手段は、前記周辺装置から前記周辺装置情報と前記送信処理装置情報を受信し、前記周辺装置情報と前記自己処理装置情報とを、前記受信したそれぞれの送信処理装置情報に対応する前記情報処理装置に対して送信することを特徴とする周辺装置管理システム。
【請求項５】
請求項３記載の周辺装置管理システムにおいて、
前記周辺装置が備える前記接続通知管理部は、送信すべき少なくとも一つの送信グループ情報を記憶する送信グループ情報記憶手段をさらに備え、
前記接続通知管理部が備える情報管理手段は、前記周辺装置情報記憶手段から前記周辺装置情報を取り出し、前記送信グループ情報記憶手段に記憶している全ての前記送信グループ情報を取り出し、前記周辺装置情報と前記全ての送信グループ情報とを送信し、
前記接続通知中継部が備える接続通知中継手段は、前記周辺装置情報と少なくとも一つの前記送信グループ情報を受信し、前記周辺装置情報と前記自己処理装置情報とを、前記自己グループ情報と送信グループ情報に属する全ての情報処理装置に対して送信することを特徴とする周辺装置管理システム。
【請求項６】
請求項４記載の周辺装置管理システムにおいて、
前記接続通知管理部が備える情報管理手段は、前記自己処理装置情報記憶手段から前記自己処理装置情報を取得し、前記自己処理装置情報と前記送信処理装置情報記憶手段に記憶された処理装置情報とを比較し、両者が異なる場合には、前記周辺装置情報記憶手段から前記周辺装置情報を取り出し、前記送信処理装置情報記憶手段に記憶している送信処理装置情報を取り出し、前記周辺装置情報と送信処理装置情報を送信すると共に、前記送信装置情報記憶手段に記憶されている送信処理装置情報を前記自己処理装置情報と置き換えることを特徴とする周辺装置管理システム。
【請求項７】
請求項５記載の周辺装置管理システムにおいて、
前記接続通知管理部が備える情報管理手段は、前記情報処理装置が備えるグループ情報記憶手段から自己が属する自己グループ情報を取得し、該自己グループ情報を前記周辺装置が備える前記送信グループ情報記憶手段に追加することを特徴とする周辺装置管理システム。
【請求項８】
請求項６記載の周辺装置管理システムにおいて、
前記接続通知管理部が備える情報管理手段は、以前に記憶していた自己処理装置情報を前記自己処理装置情報記憶手段から消去せずに、新たに接続された前記自己処理装置情報を前記自己処理装置情報記憶手段に追加することを特徴とする周辺装置管理システム。
【請求項９】
請求項７記載の周辺装置管理システムにおいて、
前記接続通知管理部が備える情報管理手段は、前記自己グループ情報を前記自己グループ情報記憶手段に追加する際に、該自己グループ情報と前回追加したグループ情報以外のグループ情報を前記自己グループ情報記憶手段から消去することを特徴とする周辺装置管理システム。
【発明の詳細な説明】
【０００１】
【発明の属する技術分野】
本発明は、ネットワークに接続された情報処理装置が、同じネットワークに接続された他の情報処理装置に接続されている周辺装置を利用する機能を提供する周辺装置管理システムに関するものである。
【０００２】
【従来の技術】
図１６は、特開平７−２１０３４１号公報に記載されているような、従来の技術における一般的な周辺装置管理システムを示すブロック図である。
ネットワーク３０１には情報処理装置３０２，３０３が接続されており、情報処理装置３０２には周辺装置３０４が接続される。それぞれの情報処理装置３０２，３０３の周辺装置接続管理部３０８ａ，３０８ｂには、周辺装置３０４が情報処理装置３０２に接続されているという情報が記憶されている。
【０００３】
情報処理装置３０２を利用しているユーザが周辺装置３０４を利用する場合、情報処理装置３０２の周辺装置接続管理部３０８ａは、内部に記憶された情報から、周辺装置３０４が情報処理装置３０２に接続されていることを知り、周辺装置３０４の制御コマンドを情報処理装置３０２に送るよう情報処理装置３０２のネットワーク制御部３０５ａに依頼する。依頼を受けた情報処理装置３０２のネットワーク制御部３０５ａは、前記制御コマンドを情報処理装置３０２の周辺装置制御部３０７ａに送り、周辺装置３０４の通信制御部３０９に前記制御コマンドを送信する。その結果、その制御コマンドを装置制御部３１０が解釈、実行することで目的の効果が得られる。
【０００４】
情報処理装置３０３を利用しているユーザが周辺装置３０４を利用する場合、情報処理装置３０３の周辺装置接続管理部３０８ｂは、内部に記憶された情報から、周辺装置３０４が情報処理装置３０２に接続されていることを知り、周辺装置３０４の制御コマンドを情報処理装置３０２に送るよう情報処理装置３０３のネットワーク制御部３０５ｂに依頼する。依頼を受けた情報処理装置３０３のネットワーク制御部３０５ｂは、制御コマンドをネットワーク３０１経由で情報処理装置３０２のネットワーク制御部３０５ａに送る。それを受けた情報処理装置３０２のネットワーク制御部３０５ａは、前記制御コマンドを情報処理装置３０２の周辺装置制御部３０７ａに送り、周辺装置３０４の通信制御部３０９に前記制御コマンドを送信する。その制御コマンドを装置制御部３１０が解釈、実行することで目的の効果が得られる。
【０００５】
【発明が解決しようとする課題】
上述の技術では、ネットワーク３０１に接続され、かつ周辺装置３０４と接続している情報処理装置３０２において、周辺装置３０４を他の情報処理装置３０３に接続を移動した時、移動後も情報処理装置３０２にて周辺装置３０４を利用するには、ユーザは移動前の情報処理装置３０２に対し、周辺装置３０４が情報処理装置３０３に接続したことを通知する必要があった。
【０００６】
そこで、本発明の目的は、周辺装置から、ネットワークに接続された情報処理装置に接続通知を自動的に送信することで、ユーザが情報処理装置に周辺装置が接続を移動したことを知らせる手間を省くとともに、送信先の情報処理装置を適切に選ぶことでネットワークの負荷増大を抑える周辺装置管理システムを提供することである。
【０００７】
【課題を解決するための手段】
第１の発明は、ネットワークに接続された複数の情報処理装置と該情報処理装置のいずれかに接続可能な周辺装置よりなる周辺装置管理システムである。前記周辺装置は、接続している前記情報処理装置に、接続したことを通知する機能を有する接続通知管理部を備える。前記情報処理装置は、接続通知を前記周辺装置から受信した場合に、ネットワークに接続され且つ他の少なくとも一つの情報処理装置に対して前記接続通知を送信する接続通知中継部と、前記接続通知を他の情報処理装置から受信した場合に、前記接続通知を記憶し、前記周辺装置の利用要求があった場合には、記憶した接続通知を基に、前記周辺装置をネットワーク経由で利用する周辺装置接続管理部とを備える。
【０００８】
第２の発明は、第１の発明の周辺装置管理システムにおいて、前記周辺装置が備える前記接続通知管理部は、自己に関する周辺装置情報を記憶する周辺装置情報記憶手段と、前記周辺装置情報記憶手段から前記周辺装置情報を取り出し、接続している前記情報処理装置に送信する情報管理手段と、を備える。前記情報処理装置が備える前記接続通知中継部は、自己に関する処理装置情報を記憶する自己処理装置情報記憶手段と、前記情報管理手段から前記周辺装置情報を受信した場合、該周辺装置情報と前記自己処理装置情報とを、ネットワークに接続された全ての前記情報処理装置に対して送信する接続通知中継手段と、を備える。
【０００９】
第３の発明は、第１の発明の周辺装置管理システムにおいて、前記周辺装置が備える前記接続通知管理部は、自己に関する周辺装置情報を記憶する周辺装置情報記憶手段と、前記周辺装置情報記憶手段から前記周辺装置情報を取り出し、接続している前記情報処理装置に送信する情報管理手段と、を備える。前記情報処理装置が備える前記接続通知中継部は、自己に関する処理装置情報を記憶する自己処理装置情報記憶手段と、前記情報処理装置が属するグループに関する自己グループ情報を記憶する自己グループ情報記憶手段と、前記情報管理手段から前記周辺装置情報を受信した場合、該周辺装置情報と前記自己処理装置情報とを、ネットワークに接続された前記自己グループ情報に属する全ての前記情報処理装置に対して送信する接続通知中継手段と、を備える。
【００１０】
第４の発明は、第２の発明の周辺装置管理システムにおいて、前記周辺装置が備える前記接続通知管理部は、情報を送信すべき少なくとも一つの情報処理装置に関する送信処理装置情報を記憶する送信処理装置情報記憶手段をさらに備える。
前記接続通知管理部が備える情報管理手段は、前記周辺装置情報記憶手段から前記周辺装置情報を取り出し、前記装置情報記憶手段に記憶している前記全ての送信処理装置情報を取り出し、前記周辺処理情報と前記全ての送信処理装置情報とを送信する。前記接続通知中継部が備える接続通知中継手段は、前記周辺装置から前記周辺装置情報と前記送信処理装置情報を受信し、前記周辺装置情報と前記自己処理装置情報とを、前記受信したそれぞれの送信処理装置情報に対応する前記情報処理装置に対して送信する。
【００１１】
第５の発明は、第３の発明の周辺装置管理システムにおいて、前記周辺装置が備える前記接続通知管理部は、送信すべき少なくとも一つの送信グループ情報を記憶する送信グループ情報記憶手段をさらに備える。
前記接続通知管理部が備える情報管理手段は、前記周辺装置情報記憶手段から前記周辺装置情報を取り出し、前記送信グループ情報記憶手段に記憶している全ての前記送信グループ情報を取り出し、前記周辺装置情報と前記全ての送信グループ情報とを送信する。前記接続通知中継部が備える接続通知中継手段は、前記周辺装置情報と少なくとも一つの前記送信グループ情報を受信し、前記周辺装置情報と前記自己処理装置情報とを、前記自己グループ情報と送信グループ情報に属する全ての情報処理装置に対して送信する。
【００１２】
第６の発明は、第４の発明の周辺装置管理システムにおいて、前記接続通知管理部が備える情報管理手段は、前記自己処理装置情報記憶手段から前記自己処理装置情報を取得し、前記自己処理装置情報と前記送信処理装置情報記憶手段に記憶された処理装置情報とを比較し、両者が異なる場合には、前記周辺装置情報記憶手段から前記周辺装置情報を取り出し、前記送信処理装置情報記憶手段に記憶している送信処理装置情報を取り出し、前記周辺装置情報と送信処理装置情報を送信すると共に、前記送信装置情報記憶手段に記憶されている送信処理装置情報を前記自己処理装置情報と置き換える。
【００１３】
第７の発明は、第５の発明の周辺装置管理システムにおいて、前記接続通知管理部が備える情報管理手段は、前記情報処理装置が備えるグループ情報記憶手段から自己が属する自己グループ情報を取得し、該自己グループ情報を前記周辺装置が備える前記送信グループ情報記憶手段に追加する。
【００１４】
第８の発明は、第６の発明の周辺装置管理システムにおいて、前記接続通知管理部が備える情報管理手段は、以前に記憶していた自己処理装置情報を前記自己処理装置情報記憶手段から消去せずに、新たに接続された前記自己処理装置情報を前記自己処理装置情報記憶手段に追加する。
【００１５】
第９の発明は、第７の発明の周辺装置管理システムにおいて、前記接続通知管理部が備える情報管理手段は、前記自己グループ情報を前記自己グループ情報記憶手段に追加する際に、該自己グループ情報と前回追加したグループ情報以外のグループ情報を前記自己グループ情報記憶手段から消去する。
【００１６】
本発明においては、周辺装置において、情報処理装置と接続したことを現在接続している前記情報処理装置に接続通知する機能を有する接続通知管理部を設ける。そして、周辺装置に接続された情報処理装置は、前記接続通知を受信すると、ユーザが操作する可能性のある他の情報処理装置に接続通知を送信し、またこの送信された接続通知を記憶する。これら機能を有するものが、接続通知中継部である。こうして、該接続通知を記憶し、ユーザから周辺装置の利用要求があった場合には、前記記憶した接続通知を元に、該周辺装置をネットワーク経由で利用することが可能となる。
【００１７】
【発明の実施の形態】
以下、発明の実施の形態について、図面を参照しながら説明する。
【００１８】
＜第１の実施形態＞
図１は、本発明に係る周辺装置管理システムにおいて、周辺装置が移動する前の概略構成を示すブロック図である。周辺装置管理システムにおけるネットワーク１０１には、少なくとも２台の情報処理装置１０２，１０３が接続されており、情報処理装置１０２には周辺装置１０４が接続されている。ここでいうネットワークには、ＴＣＰ／ＩＰ、Ｎｅｔ  Ｗａｒｅ、Ａｐｐｌｅ  Ｔａｌｋ等のＬＡＮが含まれ、情報処理装置には、パーソナルコンピュータやワークステーション、サーバマシン等のコンピュータ装置が含まれ、周辺装置には、プリンタ、スキャナ、ＦＡＸ等の入出力装置が含まれる。
【００１９】
情報処理装置１０２，１０３は、ネットワーク１０１に接続され、相互に通信を行う機能を有するネットワーク制御部１０５ａ，１０５ｂ、ネットワーク１０１に接続された少なくとも一つの他の情報処理装置に対して周辺装置１０４の接続通知を送信する機能を有する接続通知中継部１０６ａ，１０６ｂ、周辺装置１０４に接続され周辺装置１０４が備える後述の通信制御部１０９と相互に通信を行う機能を有する周辺装置制御部１０７ａ，１０７ｂ、ネットワーク１０１を経由して他の情報処理装置に接続された周辺装置１０４を制御する機能を有する周辺装置接続管理部１０８ａ，１０８ｂを備える。
【００２０】
周辺装置１０４は、情報処理装置１０２，１０３のいずれかに接続され、情報処理装置１０２，１０３が備える周辺装置制御部１０７ａ，１０７ｂのいずれかと相互に通信を行う機能を有する通信制御部１０９、周辺装置１０４の制御コマンドを解釈、実行する機能を有する装置制御部１１０、周辺装置１０４が情報処理装置１０２，１０３と接続したことを現在接続している情報処理装置に接続通知する機能を有する接続通知管理部１１１を備える。
【００２１】
図２は、本発明に係る周辺装置管理システムにおいて、周辺装置１０４が移動した後の概略構成を示すブロック図である。周辺装置管理システムにおいては、周辺装置１０４を、情報処理装置１０２から情報処理装置１０３へ移動できる。このとき、周辺装置１０４の通信制御部１０９は、周辺装置制御部１０７ａから、周辺装置制御部１０７ｂに移動し接続される。
【００２２】
図３は、周辺装置１０４が備える接続通知管理部１１１の概略構成を示すブロック図である。接続通知管理部１１１は、周辺装置１０４の周辺装置情報を記憶する機能を有する周辺装置情報記憶手段４０２、周辺装置情報記憶手段４０２から周辺装置情報を取り出し、該周辺装置情報を送信する機能を有する情報管理手段４０１を備える。ここでいう周辺装置情報とは、周辺装置の名称、周辺装置の種類、周辺装置固有の情報などを指す。
【００２３】
図４は、情報処理装置１０２，１０３が備える接続通知中継部１０６の概略構成を示すブロック図である。接続通知中継部１０６は、自己についての処理装置情報を記憶する機能を有する自己処理装置情報記憶手段５０１、前記周辺装置情報を受信し、周辺装置情報と自己処理装置情報とを、ネットワーク１０１に接続された全ての情報処理装置に対して送信する機能を有する接続通知中継手段５０２を備える。ここでいう処理装置情報とは、情報処理装置の名称、情報処理装置の種類、情報処理装置のネットワーク上でのアドレス、情報処理装置固有の情報などを指す。
【００２４】
図５は、第１の実施形態に係る周辺装置管理システムのアルゴリズムを示すフローチャートである。
図２に示すように、周辺装置１０４が情報処理装置１０２から情報処理装置１０３に接続先を変更すると、通信制御部１０９は接続通知管理部１１１の情報管理手段４０１にその旨を通知し（Ｓ１１）、それを受けた情報管理手段４０１は周辺装置情報記憶手段４０２から内部に記憶されている周辺装置情報を取り出す（Ｓ１２）。
【００２５】
取り出された周辺装置情報は、周辺装置１０４が備える通信制御部１０９と、情報処理装置１０３の周辺装置制御部１０７ｂとの間で通信を行い、情報処理装置１０３の接続通知中継部１０６ｂが備える接続通知中継手段５０２ｂに送信される（Ｓ１３）。接続通知中継手段５０２ｂは、自己処理装置情報記憶手段５０１ｂから自己処理装置情報を取り出し（Ｓ１４）、ネットワーク１０１に接続された全ての情報処理装置に、周辺装置情報と自己処理装置情報を、情報処理装置１０３のネットワーク制御部１０５ｂを通して送信する（Ｓ１５）。それを受信した情報処理装置１０２のネットワーク制御部１０５ａは、受信した周辺装置情報と自己処理装置情報を情報処理装置１０２の周辺装置接続管理部１０８ａに記憶させる（Ｓ１６）。
【００２６】
これにより、情報処理装置１０２を利用しているユーザは、情報処理装置１０２の周辺装置接続管理部１０８ａに周辺装置１０４の制御コマンドを送信することで、従来の技術を用いて周辺装置１０４を引き続き制御することが可能となる。
すなわち、情報処理装置１０２を利用しているユーザが周辺装置１０４を利用する場合、情報処理装置１０２の周辺装置接続管理部１０８ｂは、受信して内部に記憶された情報から、周辺装置１０４が情報処理装置１０３に接続されていることを知り、周辺装置１０４の制御コマンドを情報処理装置１０３に送るよう情報処理装置１０２のネットワーク制御部１０５ａに依頼する。依頼を受けた情報処理装置１０２のネットワーク制御部１０５ａは、制御コマンドをネットワーク１０１経由で情報処理装置１０３のネットワーク制御部１０５ｂに送る。それを受けた情報処理装置１０３のネットワーク制御部１０５ｂは、前記制御コマンドを情報処理装置１０３の周辺装置制御部１０７ｂに送り、周辺装置１０４の通信制御部１０９に前記制御コマンドを送信する。その制御コマンドを装置制御部１１０が解釈、実行することで目的の効果が得られる。
【００２７】
＜第２の実施形態＞
第２の実施形態は、第１の実施形態において、図４の接続通知中継部の代わりに図６の接続通知中継部を用いた周辺装置管理システムである。図６は、第２の実施形態における接続通知中継部１０６の概略構成を示すブロック図である。従って、第２の実施形態は、図１、図３、図６に示す構成を有する。
図６に示すように、接続通知中継部１０６は、第１の実施形態の構成（図４）に加え、ネットワーク１０１上に存在する全てのグループの中で、その情報処理装置が属する自己グループ情報を記憶する自己グループ情報記憶手段６０３をさらに備える。接続通知中継部１０６が備える接続通知中継手段５０２は、周辺装置情報と自己処理装置情報とをネットワーク１０１に接続された全ての情報処理装置に送信する代わりに、自己が属するグループに属している全ての情報処理装置に送信する機能を有する。ここでいうグループ情報とは、グループ名とそのグループに属する全ての情報処理装置の名称や処理装置情報などを指す。本実施形態では、情報処理装置１０２と情報処理装置１０３は同一のグループに属しているとする。
【００２８】
図７は、第２の実施形態に係る周辺装置管理システムのアルゴリズムを示すフローチャートである。
図２に示すように、周辺装置１０４が情報処理装置１０２から情報処理装置１０３に接続先を変更すると、通信制御部１０９は接続通知管理部１１１の情報管理手段４０１にその旨を通知し（Ｓ２１）、それを受けた情報管理手段４０１は周辺装置情報記憶手段４０２から内部に記憶されている周辺装置情報を取り出す（Ｓ２２）。取り出された周辺装置情報は、周辺装置１０４が備える通信制御部１０９と、情報処理装置１０３の周辺装置制御部１０７ｂとの間で通信を行い、情報処理装置１０３の接続通知中継部１０６ｂが備える接続通知中継手段５０２ｂに送信される（Ｓ２３）。
【００２９】
接続通知中継手段５０２ｂは、自己処理装置情報記憶手段５０１ｂから自己処理装置情報を取り出し（Ｓ２４）、自己グループ情報記憶手段６０３の情報から、その情報処理装置が属するグループに属している全ての情報処理装置を知り、それら全ての情報処理装置に、周辺装置情報と取り出された自己処理装置情報を、情報処理装置１０３のネットワーク制御部１０５ｂを通して送信する（Ｓ２５）。それを受信した情報処理装置１０２のネットワーク制御部１０５ａは、受信した周辺装置情報と自己処理装置情報を情報処理装置１０２の周辺装置接続管理部１０８ａに記憶させる（Ｓ２６）。
【００３０】
こうして、情報処理装置１０３は、情報処理装置１０２を含む自己グループ情報を有して、この自己グループ情報に属する情報処理装置の全てに接続通知（周辺装置情報と自己処理装置情報）を送信する。これにより、情報処理装置１０２を利用しているユーザは、情報処理装置１０２の周辺装置接続管理部１０８ａに周辺装置１０４の制御コマンドを送信することで、従来の技術を用いて周辺装置１０４を引き続き制御することが可能となる。
【００３１】
＜第３の実施形態＞
第３の実施形態は、第１の実施形態において、図３の接続通知管理部の代わりに図８の接続通知管理部を用いた周辺装置管理システムである。図８は、第３の実施形態における接続通知管理部１１１の概略構成を示すブロック図である。従って、第３の実施形態は、図１、図４、図８に示す構成を有する。
接続通知管理部１１１は、第１の実施形態の構成（図３）に加え、少なくとも一つの情報処理装置に関する処理装置情報を記憶する機能を備えた処理装置情報記憶手段７０３をさらに備える。接続通知管理部１１１が備える情報管理手段４０１は、周辺装置情報記憶手段４０２から周辺装置情報を取り出し、処理装置情報記憶手段７０３に記憶している全ての処理装置情報を取り出し、周辺装置情報と全ての処理装置情報とを送信する機能を有する。本実施形態では、処理装置情報記憶手段７０３には、少なくとも情報処理装置１０２に対応する処理装置情報が記憶されているとする。
【００３２】
図９は、第３の実施形態に係る周辺装置管理システムのアルゴリズムを示すフローチャートである。
図２に示すように、周辺装置１０４が情報処理装置１０２から情報処理装置１０３に接続先を変更すると、通信制御部１０９は接続通知管理部１１１の情報管理手段４０１にその旨を通知し（Ｓ３１）、それを受けた情報管理手段４０１は周辺装置情報記憶手段４０２から内部に記憶されている周辺装置情報を取り出す（Ｓ３２）。次に、情報管理手段４０１は、送信処理装置情報記憶手段７０３から内部に記憶されている全ての送信すべき処理装置情報を取り出す（Ｓ３３）。
【００３３】
取り出された周辺装置情報と全ての送信処理装置情報は、周辺装置１０４が備える通信制御部１０９と、情報処理装置１０３の周辺装置制御部１０７ｂとの間で通信を行い、情報処理装置１０３の接続通知中継部１０６ｂが備える接続通知中継手段５０２ｂに送信される（Ｓ３４）。接続通知中継手段５０２ｂは、自己処理装置情報記憶手段５０１ｂから自己処理装置情報を取り出し（Ｓ３５）、受信した送信処理装置情報に対応する全ての情報処理装置に、周辺装置情報と取り出された自己処理装置情報を、情報処理装置１０３のネットワーク制御部１０５ｂを通して送信する（Ｓ３６）。それを受信した情報処理装置１０２のネットワーク制御部１０５ａは、受信した周辺装置情報と自己処理装置情報を情報処理装置１０２の周辺装置接続管理部１０８ａに記憶させる（Ｓ３７）。
【００３４】
これにより、周辺装置１０４が他の情報処理装置１０３に接続を移動した場合、あらかじめ周辺装置１０４に対してユーザに指定された情報処理装置１０２は、移動後の情報処理装置１０３より周辺装置１０４の接続通知を受信する。従って、ユーザは、情報処理装置１０２の周辺装置接続管理部１０８ａに周辺装置１０４の制御コマンドを送信することで、従来の技術を用いて周辺装置１０４を引き続き制御することが可能となる。
【００３５】
＜第４の実施形態＞
第４の実施形態は、第２の実施形態において、図３の接続通知管理部の代わりに図１０の接続通知管理部を用いた周辺装置管理システムである。図１０は、第４の実施形態における接続通知管理部１１１の概略構成を示すブロック図である。従って、第４の実施形態は、図１、図６、図１０に示す構成を有する。
【００３６】
接続通知管理部１１１は、第２実施形態の構成（図３）に加え、送信すべき少なくとも一つのグループ情報を記憶する機能を備えた送信グループ情報記憶手段８０３をさらに備え、接続通知管理部１１１が備える情報管理手段４０１は、周辺装置情報記憶手段４０２から周辺装置情報を取り出し、送信グループ情報記憶手段８０３に記憶している全ての送信グループ情報を取り出し、周辺装置情報と全ての送信グループ情報とを送信する機能を有する。本実施形態では、送信グループ情報記憶手段８０３には、少なくとも情報処理装置１０２が属するグループに対応する送信グループ情報が記憶されているとする。
【００３７】
図１１は、本実施形態に係る周辺装置管理システムのアルゴリズムを示すフローチャートである。
図２に示すように、周辺装置１０４が情報処理装置１０２から情報処理装置１０３に接続先を変更すると、通信制御部１０９は接続通知管理部１１１の情報管理手段４０１にその旨を通知し（Ｓ４１）、それを受けた情報管理手段４０１は周辺装置情報記憶手段４０２から内部に記憶されている周辺装置情報を取り出す（Ｓ４２）。次に、情報管理手段４０１は、送信グループ情報記憶手段８０３から内部に記憶されている全ての送信グループ情報を取り出す（Ｓ４３）。
【００３８】
取り出された周辺装置情報と全ての送信グループ情報は、周辺装置１０４が備える通信制御部１０９と、情報処理装置１０３の周辺装置制御部１０７との間で通信を行い、情報処理装置１０３の接続通知中継部１０６が備える接続通知中継手段５０２に送信される（Ｓ４４）。接続通知中継手段５０２は、自己処理装置情報記憶手段５０１から自己処理装置情報を取り出し（Ｓ４５）、自己グループ情報記憶手段６０３の自己グループ情報と受信した送信グループ情報とに属している全ての情報処理装置を知り、その属しているグループ全ての情報処理装置に、周辺装置情報と取り出された自己処理装置情報を、情報処理装置１０３のネットワーク制御部１０５を通して送信する（Ｓ４６）。それを受信した情報処理装置１０２のネットワーク制御部１０５は、受信した周辺装置情報と自己処理装置情報を情報処理装置１０２の周辺装置接続管理部１０８に記憶させる（Ｓ４７）。
【００３９】
これにより、周辺装置１０４が他の情報処理装置１０３に接続を移動した場合、あらかじめ周辺装置１０４に対してユーザに指定されたグループ情報に属している情報処理装置１０２（たとえ、情報処理装置１０３の自己グループ情報には存在していなかったとしても）、移動後の情報処理装置１０３より周辺装置１０４の接続通知を受信する。情報処理装置１０２を利用しているユーザは、周辺装置の送信グループ情報記憶手段８０３にあらかじめ記憶させておくことにより、情報処理装置１０２の周辺装置接続管理部１０８に周辺装置１０４の制御コマンドを送信することで、従来の技術を用いて周辺装置１０４を引き続き制御することが可能となる。
【００４０】
＜第５の実施形態＞
第５の実施形態は、基本的には第３の実施形態と同様の構成を有する。従って、第５の実施形態は、図１、図４、図８に示す構成を有する。
図８の接続通知管理部１１１における情報管理手段４０１は、周辺装置の接続先の情報処理装置が変わった場合にのみ、周辺装置情報記憶手段４０２から周辺装置情報を取り出し、送信処理装置情報記憶手段７０３に記憶している送信処理装置情報を取り出し、周辺装置情報と送信処理装置情報とを送信し、送信処理装置情報記憶手段７０３に、新しく接続した情報処理装置に対応する処理装置情報を現在記憶しているものと置きかえる機能を有する。本実施の形態では、処理装置情報記憶手段７０３には、現在接続している情報処理装置１０２に対応する処理装置情報が記憶されているとする。
【００４１】
図１２は、第５の実施形態に係る周辺装置管理システムのアルゴリズムを示すフローチャートである。
図２に示すように、周辺装置１０４が情報処理装置１０２から情報処理装置１０３に接続先を変更すると、通信制御部１０９は接続通知管理部１１１の情報管理手段４０１にその旨を通知し（Ｓ５１）、それを受けた情報管理手段４０１は周辺装置情報記憶手段４０２から内部に記憶されている周辺装置情報を取り出す（Ｓ５２）。次に、情報管理手段４０１は、現在接続している情報処理装置１０３の自己処理装置情報記憶手段５０１から自己処理装置情報（以後、処理装置情報ａ）を取り出し（Ｓ５３）、送信処理装置情報記憶手段７０３から内部に記憶されている送信処理装置情報（以後、処理装置情報ｂ）を取り出し（Ｓ５４）、処理装置情報ａと処理装置情報ｂを比較し（Ｓ５５）、両者が一致すれば、処理を終了する。
【００４２】
両者が異なる場合、取り出された周辺装置情報と処理装置情報ｂは、周辺装置１０４が備える通信制御部１０９と、情報処理装置１０３の周辺装置制御部１０７ｂとの間で通信を行い、情報処理装置１０３の接続通知中継部１０６ｂが備える接続通知中継手段５０２ｂに送信される（Ｓ５６）。次いで、情報管理手段４０１は、処理装置情報ｂを送信処理装置情報記憶手段７０３から消去し（Ｓ５７）、代わりに処理装置情報ａを記憶させる（Ｓ５８）。接続通知中継手段５０２ｂは、自己処理装置情報記憶手段５０１ｂから処理装置情報ａを取り出し（Ｓ５９）、受信した処理装置情報ｂに対応する情報処理装置１０２に、周辺装置情報と取り出された処理装置情報ａを、情報処理装置１０３のネットワーク制御部１０５ｂを通して送信する（Ｓ６１０）。それを受信した情報処理装置１０２のネットワーク制御部１０５ａは、受信した周辺装置情報と自己処理装置情報を情報処理装置１０２の周辺装置接続管理部１０８ａに記憶させる（Ｓ６１）。
【００４３】
これにより、周辺装置１０４が他の情報処理装置１０３に接続を移動した場合、処理装置情報ａと処理装置情報ｂが異なっている場合のみ、移動前の情報処理装置１０２は、移動後の情報処理装置１０３より周辺装置１０４の接続通知を受信する。このため、情報処理装置１０２に接続している該周辺装置１０４を一時的に他の情報処理装置１０３に接続を変更する場合（たとえ、前述のように、グループ情報や自己処理装置情報に情報処理装置１０２が存在していなくとも）、ユーザが情報処理装置の操作や設定を行うことなしに、情報処理装置１０２を利用しているユーザは、情報処理装置１０２の周辺装置接続管理部１０８に周辺装置１０４の制御コマンドを送信することで、従来の技術を用いて周辺装置１０４を引き続き制御することが可能となる。
【００４４】
＜第６の実施形態＞
第６の実施形態は、基本的には第４の実施形態と同様の構成を有する。従って、第６の実施形態は、図１、図６、図１０に示す構成を有する。
図１０の接続通知管理部１１１における情報管理手段４０１は、周辺装置情報記憶手段４０２から周辺装置情報を取り出し、送信グループ情報記憶手段８０３に記憶している全ての送信グループ情報を取り出し、周辺装置情報と全ての送信グループ情報とを送信し、送信グループ情報記憶手段８０３に、新しく接続した情報処理装置が属する自己グループ情報を追加する機能を有する。本実施形態では、グループ情報記憶手段８０３には、現在接続している情報処理装置１０２が属するグループ情報が記憶されているとする。
【００４５】
図１３は、第６の実施形態に係る周辺装置管理システムのアルゴリズムを示すフローチャートである。
周辺装置１０４が情報処理装置１０２から情報処理装置１０３に接続先を変更すると、通信制御部１０９は接続通知管理部１１１の情報管理手段４０１にその旨を通知し（Ｓ７１）、それを受けた情報管理手段４０１は現在接続している情報処理装置１０３の自己グループ情報記憶手段６０３ｂから自己が属するグループ情報を取り出し（Ｓ７２）、この自己グループ情報を送信グループ情報記憶手段８０３に追加する（Ｓ７３）。
【００４６】
次に、情報管理手段４０１は、周辺装置情報記憶手段４０２から内部に記憶されている周辺装置情報を取り出し（Ｓ７４）、送信グループ情報記憶手段８０３から内部に記憶されている全ての送信グループ情報を取り出す（Ｓ７５）。取り出された周辺装置情報と全ての送信グループ情報は、周辺装置１０４が備える通信制御部１０９と、情報処理装置１０３の周辺装置制御部１０７との間で通信を行い、情報処理装置１０３の接続通知中継部１０６が備える接続通知中継手段５０２に送信される（Ｓ７６）。
【００４７】
接続通知中継手段５０２は、自己処理装置情報記憶手段５０１から自己処理装置情報を取り出し（Ｓ７７）、送信グループ情報記憶手段８０３から送信グループ情報を受信し、この送信グループ情報に属している全ての情報処理装置を知る。それら全ての情報処理装置に、周辺装置情報と取り出された自己処理装置情報を、情報処理装置１０３のネットワーク制御部１０５を通して送信する（Ｓ７８）。それを受信した情報処理装置１０２のネットワーク制御部１０５は、受信した周辺装置情報と自己処理装置情報を情報処理装置１０２の周辺装置接続管理部１０８に記憶させる（Ｓ７９）。
【００４８】
これにより、周辺装置１０４が他の情報処理装置に接続を移動した場合、その他の情報処理装置の自己グループ情報が周辺装置の送信グループ情報記憶手段に記憶される。従って、過去に一度でも周辺装置１０４と接続したことのある情報処理装置の属しているグループ情報は、送信グループ情報記憶手段に記憶される。こうして、各送信グループ情報に属している全ての情報処理装置は、移動後の情報処理装置より該周辺装置の接続通知を受信する。情報処理装置１０２を利用しているユーザは、情報処理装置１０２の周辺装置接続管理部１０８に周辺装置１０４の制御コマンドを送信することで、従来の技術を用いて周辺装置１０４を引き続き制御することが可能となる。
【００４９】
＜第７の実施形態＞
第７の実施形態は、基本的には第５の実施形態と同様の構成を有する。従って、第７の実施形態は、図１、図４、図８に示す構成を有する。
図８の接続通知管理部における情報管理手段４０１は、接続先の情報処理装置が変わった場合にのみ、周辺装置情報記憶手段４０２から周辺装置情報を取り出し、送信処理装置情報記憶手段７０３に記憶している送信処理装置情報を取り出し、周辺装置情報と送信処理装置情報とを送信し、送信処理装置情報記憶手段７０３に、新しく接続した情報処理装置に対応する処理装置情報を追加する機能を有する。本実施の形態では、処理装置情報記憶手段７０３には、少なくとも現在接続している情報処理装置１０２に対応する処理装置情報が記憶されており、この処理装置情報が最近に送信処理装置情報記憶手段７０３に追加されたものであるとする。
【００５０】
図１４は、第７の実施形態に係る周辺装置管理システムのアルゴリズムを示すフローチャートである。
図２に示すように、周辺装置１０４が情報処理装置１０２から情報処理装置１０３に接続先を変更すると、通信制御部１０９は接続通知管理部１１１の情報管理手段４０１にその旨を通知し（Ｓ８１）、それを受けた情報管理手段４０１は周辺装置情報記憶手段４０２から内部に記憶されている周辺装置情報を取り出す（Ｓ８２）。次に、情報管理手段４０１は、現在接続している情報処理装置１０３の自己処理装置情報記憶手段５０１から自己処理装置情報（以後、処理装置情報ａ）を取り出し（Ｓ８３）、送信処理装置情報記憶手段７０３から内部に記憶されている全ての送信処理装置情報（以後、このうち最近に追加されたものを、処理装置情報ｂと呼ぶ）を取り出し（Ｓ８４）、処理装置情報ａと処理装置情報ｂを比較し（Ｓ８５）、両者が一致すれば、処理を終了する。
【００５１】
取り出された周辺装置情報と全ての送信処理装置情報は、周辺装置１０４が備える通信制御部１０９と、情報処理装置１０３の周辺装置制御部１０７との間で通信を行い、情報処理装置１０３の接続通知中継部１０６が備える接続通知中継手段５０２に送信される（Ｓ８６）。次いで、情報管理手段４０１は、処理装置情報ａを送信処理装置情報記憶手段７０３に記憶させる（Ｓ８７）。接続通知中継手段５０２は、自己処理装置情報記憶手段５０１から自己処理装置情報を取り出し（Ｓ８８）、自己処理装置情報と受信した送信処理装置情報に対応する全ての情報処理装置に、周辺装置情報と取り出された自己処理装置情報を、情報処理装置１０３のネットワーク制御部１０５を通して送信する（Ｓ８９）。それを受信した情報処理装置１０２のネットワーク制御部１０５は、受信した周辺装置情報と自己処理装置情報を情報処理装置１０２の周辺装置接続管理部１０８に記憶させる（Ｓ９０）。
【００５２】
これにより、過去に一度でも接続したことのある情報処理装置には、すべて接続情報が送信されるので、一度情報処理装置１０２を利用したことがあるユーザは、情報処理装置１０２の周辺装置接続管理部１０８に周辺装置１０４の制御コマンドを送信することで、従来の技術を用いて周辺装置１０４を引き続き制御することが可能となる。
【００５３】
＜第８の実施形態＞
第８の実施形態は、基本的には第４の実施形態と同様の構成を有する。従って、第８の実施形態は、図１、図６、図１０に示す構成を有する。
図１０の接続通知管理部１１１における情報管理手段４０１は、周辺装置情報記憶手段４０２から周辺装置情報を取り出し、送信グループ情報記憶手段８０３に記憶している全ての送信グループ情報を取り出す。そして、周辺装置情報と全ての送信グループ情報とを送信し、送信グループ情報記憶手段８０３から、前回追加したグループ情報以外の情報を消去し、グループ情報記憶手段８０３に、新しく接続した情報処理装置が属するグループ情報を追加する。本実施の形態では、グループ情報記憶手段８０３には、現在接続している情報処理装置１０２が属するグループ情報が前回追加されていたとする。
【００５４】
図１６は、第８の実施形態に係る周辺装置管理システムのアルゴリズムを示すフローチャートである。
図２に示すように、周辺装置１０４が情報処理装置１０２から情報処理装置１０３に接続先を変更すると、通信制御部１０９は接続通知管理部１１１の情報管理手段４０１にその旨を通知し（Ｓ９１）、それを受けた情報管理手段４０１は現在接続している情報処理装置１０３の自己グループ情報記憶手段６０３から自己が属するグループ情報を取り出す（Ｓ９２）。そして、前回記憶していたグループ情報以外の情報をグループ情報記憶手段８０３から消去し（Ｓ９３）、自己が属するグループ情報をグループ情報記憶手段８０３に追加する（Ｓ９４）。
【００５５】
次に、情報管理手段４０１は、周辺装置情報記憶手段４０２から内部に記憶されている周辺装置情報を取り出し（Ｓ９５）、送信グループ情報記憶手段８０３から内部に記憶されている全ての送信グループ情報を取り出す（Ｓ９６）。取り出された周辺装置情報と全ての送信グループ情報は、周辺装置１０４が備える通信制御部１０９と、情報処理装置１０３の周辺装置制御部１０７との間で通信を行い、情報処理装置１０３の接続通知中継部１０６が備える接続通知中継手段５０２に送信される（Ｓ９７）。接続通知中継手段５０２は、自己処理装置情報記憶手段５０１から自己処理装置情報を取り出し（Ｓ９８）、自己グループ情報記憶手段６０３の情報と、受信したそれぞれの送信グループ情報とからにこれらに属している全ての情報処理装置を知り、それら全ての情報処理装置に、周辺装置情報と取り出された自己処理装置情報を、情報処理装置１０３のネットワーク制御部１０５を通して送信する（Ｓ９９）。それを受信した情報処理装置１０２のネットワーク制御部１０５は、受信した周辺装置情報と自己処理装置情報を情報処理装置１０２の周辺装置接続管理部１０８に記憶させる（Ｓ１００）。
【００５６】
これにより、過去に接続していた情報処理装置が属していたグループのグループ情報は適宜削除される。そのため、グループ情報が記憶容量が節約でき、グループ情報処理は報処理装置１０２の利用しているユーザは、情報処理装置１０２の周辺装置接続管理部１０８に周辺装置１０４の制御コマンドを送信することで、従来の技術を用いて周辺装置１０４を引き続き制御することが可能となる。
【００５７】
【発明の効果】
請求項１の発明によれば、周辺装置が他の情報処理装置に接続を移動した場合、ネットワークに接続された少なくとも一つの情報処理装置は、移動後の情報処理装置より該周辺装置の接続通知を受信する。このため、ユーザは、ネットワークに接続された少なくとも一つの情報処理装置にて移動前と変わりない核周辺装置の利用が可能となる。
【００５８】
請求項２の発明によれば、周辺装置が他の情報処理装置に接続を移動した場合、ネットワークに接続された全ての情報処理装置は、移動後の情報処理装置より該周辺装置の接続通知を受信する。このため、ユーザは、ネットワークに接続された任意の情報処理装置にて移動前と変わりない該周辺装置の利用が可能となる。
【００５９】
請求項３の発明によれば、周辺装置が他の情報処理装置に接続を移動した場合、移動後の情報処理装置が属するグループに属している全ての情報処理装置は、移動後の情報処理装置より該周辺装置の接続通知を受信する。このため、周辺装置を単独のグループにて共有したい場合、そのグループに属している任意の情報処理装置にて移動前と変わりない該周辺装置の利用が可能となる。
さらに、接続通知が送信される情報処理装置が限定されているため、ネットワークのトラフィックが抑えられる。
【００６０】
請求項４の発明によれば、周辺装置が他の情報処理装置に接続を移動した場合、あらかじめ該周辺装置に対してユーザに指定された全ての情報処理装置は、移動後の情報処理装置より該周辺装置の接続通知を受信する。このため、ユーザが該周辺装置を個人で利用しており、そのユーザが利用する情報処理装置があらかじめ分かっている場合には、ユーザは、あらかじめ該周辺装置に対してそれらの情報処理装置を指定しておけば、指定した任意の情報処理装置にて移動前と変わりない該周辺装置の利用が可能となる。
さらに、接続通知が送信される情報処理装置が限定されているため、ネットワークのトラフイツクが抑えられる。
【００６１】
請求項５の発明によれば、周辺装置が他の情報処理装置に接続を移動した場合、あらかじめ該周辺装置に対してユーザに指定された全てのグループに属している情報処理装置は、移動後の情報処理装置より該周辺装置の接続通知を受信する。このため、該周辺装置をいくつかのグループで共有している場合には、あらかじめ該周辺装置に対してそれらのグループを指定しておけば、指定した任意のグループに属している任意の情報処理装置にて移動前と変わりない該周辺装置の利用が可能となる。
さらに、接続通知が送信される情報処理装置が限定されているため、ネットワークのトラフィックが得られる。
【００６２】
請求項６の発明によれば、周辺装置が他の情報処理装置に接続を移動した場合、移動前の情報処理装置は、移動後の情報処理装置より該周辺装置の接続通知を受信する。このため、ある情報処理装置に接続している該周辺装置を一時的に他の情報処理装置に接続を変更する場合、何らユーザの操作なしに、移動前の情報処理装置にて移動前と変わりない該周辺装置の利用が可能となる。
さらに、接続通知が送信される情報処理装置が限定されているため、ネットワークのトラフィックが抑えられる。
【００６３】
請求項７の発明によれば、周辺装置が他の情報処理装置に接続を移動した場合、過去に一度でも該周辺装置と接続したことのある情報処理装置が属しているグループに属している全ての情報処理装置は、移動後の情報処理装置より該周辺装置の接続通知を受信する。このため、あるグループに属している情報処理装置に接続している該周辺装置を他のグループに属している情報処理装置に接続を変更する操作を繰り返した場合も、何らユーザの操作なしに、過去に一度でも該周辺装置と接続したことのある情報処理装置が属するグループに属している任意の情報処理装置にて移動前と変わりない該周辺装置の利用が可能となる。
さらに、接続通知が送信される情報処理装置が限定されているため、ネットワークのトラフイツクが抑えられる。
【００６４】
請求項８の発明によれば、周辺装置が他の情報処理装置に接続を移動した場合、過去に一度でも該周辺装置と接続したことのある全ての情報処理装置は、移動後の情報処理装置より該周辺装置の接続通知を受信する。このため、ある情報処理装置に接続している該周辺装置を他の情報処理装置に接続を変更する操作を繰り返した場合も、何らユーザの操作なしに、過去に一度でも該周辺装置と接続したことのある全ての情報処理装置にて移動前と変わりない該周辺装置の利用が可能となる。
さらに、接続通知が送信される情報処理装置が限定されているため、ネットワークのトラフイツクが抑えられる。
【００６５】
請求項９の発明によれば、過去に接続していた情報処理装置が属しているグループのグループ情報は適宜削除されるため、グループ情報記憶装置内部にグループ情報が大量に記憶されることがなくなり、記憶装置の容量が節約される。
さらに、接続通知が送信される情報処理装置が限定されているため、ネットワークのトラフィックが抑えられる。
【図面の簡単な説明】
【図１】本発明に係る周辺装置管理システムにおいて、周辺装置が移動する前の概略構成を示すブロック図である。
【図２】本発明に係る周辺装置管理システムにおいて、周辺装置が移動した後の概略構成を示すブロック図である。
【図３】第１の実施形態における接続通知管理部の概略構成を示すブロック図である。
【図４】第１の実施形態における情報処理装置が備える接続通知中継部の概略構成を示すブロック図である。
【図５】第１の実施形態に係る周辺装置管理システムのアルゴリズムを示すフローチャートである。
【図６】第２の実施形態における接続通知中継部１０６の概略構成を示すブロック図である。
【図７】第２の実施形態に係る周辺装置管理システムのアルゴリズムを示すフローチャートである。
【図８】第３の実施形態における接続通知管理部１１１の概略構成を示すブロック図である。
【図９】第３の実施形態に係る周辺装置管理システムのアルゴリズムを示すフローチャートである。
【図１０】第４の実施形態における接続通知管理部１１１の概略構成を示すブロック図である。
【図１１】第４の実施形態に係る周辺装置管理システムのアルゴリズムを示すフローチャートである。
【図１２】第５の実施形態に係る周辺装置管理システムのアルゴリズムを示すフローチャートである。
【図１３】第６の実施形態に係る周辺装置管理システムのアルゴリズムを示すフローチャートである。
【図１４】第７の実施形態に係る周辺装置管理システムのアルゴリズムを示すフローチャートである。
【図１５】第８の実施形態に係る周辺装置管理システムのアルゴリズムを示すフローチャートである。
【図１６】従来の周辺装置管理システムの概略構成を示すブロック図である。
【符号の説明】
１０１  ネットワーク
１０２，１０３  情報処理装置
１０４  周辺装置
１０５  ネットワーク制御部
１０６  接続通知中継部
１０７  周辺装置制御部
１０８  周辺装置接続管理部
１０９  通信制御部
１１０  装置制御部
１１１  接続通知管理部
４０１  情報管理手段
４０２  周辺装置情報記憶手段
７０３  処理装置情報記憶手段
８０３  グループ情報記憶手段
５０１  自己処理装置情報記憶手段
５０２  接続通知中継手段（周辺装置側）
６０３  グループ情報記憶手段（情報処理装置側）
【図１】
0003690950.tif 000002
【図２】
0003690950.tif 000003
【図３】
0003690950.tif 000004
【図４】
0003690950.tif 000005
【図５】
0003690950.tif 000006
【図６】
0003690950.tif 000007
【図７】
0003690950.tif 000008
【図８】
0003690950.tif 000009
【図９】
0003690950.tif 000010
【図１０】
0003690950.tif 000011
【図１１】
0003690950.tif 000012
【図１２】
0003690950.tif 000013
【図１３】
0003690950.tif 000014
【図１４】
0003690950.tif 000015
【図１５】
0003690950.tif 000016
【図１６】
0003690950.tif 000017